(57)【要約】【課題】  壁面に対して電力量計を正面／横向きの何れの向きにも別途金具等を使用すること無く設置できる電力量計収納ケースを提供する。【解決手段】  電力量計を収納するケース本体２と、ケース本体２を保持して壁面Ｗに取り付けるための保持枠３とを有し、ケース本体２は上下方向に中心軸Ｍを有する筒状に形成されて、中心軸Ｍ上の上下端部に保持枠３に連結する円筒状突起２１を有すると共に、収容した電力量計Ｐのメータ部を視認可能とする窓２３を有し、保持枠３に保持された状態でケース本体２は水平面内で１８０度回動可能とした。また、ケース本体２の下側円筒状突起２１ａは内部が開口され、対応する保持枠３の下側凹部２４ａが支持穴であり、支持穴を介して電力量計に接続するケーブルＫをケース本体２内に導入可能とした。【選択図】  図３
2017211246.tif 000002
【特許請求の範囲】
【請求項１】
電力量計を収納するケース本体と、前記ケース本体を保持して壁面に取り付けるための保持枠とを有し、
前記ケース本体は、上下方向に中心軸を有する筒状に形成されて、前記中心軸上の上下端部に前記保持枠との連結部を有すると共に、収容した電力量計の少なくともメータ部を視認可能とする窓を有し、
前記連結部が回動軸を構成して、前記保持枠に保持された状態で前記ケース本体は水平面内で少なくとも９０度回動可能であることを特徴とする電力量計収納ケース。
【請求項２】
前記ケース本体側の連結部が円筒状突起である一方、前記保持枠側の連結部が円形凹部であり、
更に、一対の前記円筒状突起のうち少なくとも一方が内部が開口されて形成される一方、当該開口された円筒状突起に対応する円形凹部が開口形成された支持穴であり、
電力量計に接続するケーブルを、前記保持枠から前記支持穴を介して前記ケース本体内に導入可能としたことを特徴とする請求項１記載の電力量計収納ケース。
【請求項３】
前記保持枠は、背部が壁面に密着する中央枠体と、当該中央枠体の上下端部から前方に突出して前記連結部を具備したアーム片とを有し、
前記ケーブルを導入するための前記支持穴を備えた前記アーム片は、前記支持穴から壁面に密着する背部にかけて、ケーブルを収容するためのケーブル配設空間を有することを特徴とする請求項２記載の電力量計収納ケース。
【発明の詳細な説明】
【技術分野】
【０００１】
本発明は、電力量計を収納して雨水等から保護するための電力量計収納ケースに関する。
【背景技術】
【０００２】
従来の電力量計収納ケースは、例えば特許文献１に記載されているように壁面を背にして収納した電力量計を正面に向けて設置する構成であるため、壁面に対して電力量計を直交する向き、即ち設置した壁面に平行する方向から電力量計を視認可能に設置する場合は、別途専用の金具を用意して電力量計収納ケースを９０度回動して壁面に設置した。
【先行技術文献】
【特許文献】
【０００３】
【特許文献１】特開２０００−２７０４２２号公報
【発明の概要】
【発明が解決しようとする課題】
【０００４】
上述したように、設置した壁に対して正面から検針し難い場合は横向きにすることで、検針作業は容易になった。しかしながら、横向きにするために壁面に取り付けた金具は露出した状態にあるし、横向きにしたことで電力量計に接続された引き込み線等の電線も露出し、美観上好ましい状態ではなかった。
【０００５】
そこで、本発明はこのような問題点に鑑み、壁面に対して電力量計を正面／横向きの何れの向きにも別途金具等を使用すること無く設置できる電力量計収納ケースを提供すること、更に向きを変えてもケーブルが露出することがない電力量計収納ケースを提供することを目的としている。
【課題を解決するための手段】
【０００６】
上記課題を解決する為に、請求項１の発明に係る電力量計収納ケースは、電力量計を収納するケース本体と、ケース本体を保持して壁面に取り付けるための保持枠とを有し、ケース本体は、上下方向に中心軸を有する筒状に形成されて、中心軸上の上下端部に保持枠との連結部を有すると共に、収容した電力量計の少なくともメータ部を視認可能とする窓を有し、連結部が回動軸を構成して、保持枠に保持された状態でケース本体は水平面内で少なくとも９０度回動可能であることを特徴とする。
この構成によれば、保持枠に保持された状態でケース本体は回動できるため、保持枠を壁面に固定してもケース本体の窓を正面から横向きに変更することが可能であり、別途金具等を使用することなく内部の電力量計を窓を介して視認し易い方向に向けることができる。
【０００７】
請求項２の発明は、請求項１に記載の構成において、ケース本体側の連結部が円筒状突起である一方、保持枠側の連結部が円形凹部であり、更に、一対の円筒状突起のうち少なくとも一方が内部が開口されて形成される一方、当該開口された円筒状突起に対応する円形凹部が開口形成された支持穴であり、電力量計に接続するケーブルを、保持枠から支持穴を介してケース本体内に導入可能としたことを特徴とする。
この構成によれば、連結部を介してケーブルをケース本体に導入することできるため、ケーブルをケース外部に露出すること無く配設して電力量計に接続することが可能となる。
【０００８】
請求項３の発明は、請求項２に記載の構成において、保持枠は、背部が壁面に密着する中央枠体と、当該中央枠体の上下端部から前方に突出して連結部を具備したアーム片とを有し、ケーブルを導入するための支持穴を備えたアーム片は、支持穴から壁面に密着する背部にかけて、ケーブルを収容するためのケーブル配設空間を有することを特徴とする。
この構成によれば、壁面内から取り出されてケース本体内の電力量計に接続されるケーブルは、保持枠の内部に配設することができるため、ケーブルが外部に全く露出しないよう配設することが可能であり、ケース本体の向きに拘わらず美観を損ねることがない。
【発明の効果】
【０００９】
本発明によれば、保持枠に保持された状態でケース本体は回動できるため、保持枠を壁面に固定してもケース本体の窓を正面から横向きに変更することが可能であり、別途金具等を使用することなく内部の電力量計を窓を介して視認し易い方向に向けることができる。また、ケーブルは連結部を介してケース本体内に導入可能であるため、ケース本体を回動して向きを変更してもケーブルを露出しないよう配設できる。
【図面の簡単な説明】
【００１０】
【図１】本発明に係る電力量計収納ケースの一例を示す斜視図である。
【図２】電力量計収納ケースの正面図である。
【図３】電力量計収納ケースを壁面に取り付けた説明図であり、（ａ）は平面図、（ｂ）は側面図である。
【図４】電力量計収納ケースの分解図である。
【発明を実施するための形態】
【００１１】
以下、本発明を具体化した実施の形態を、図面を参照して詳細に説明する。図１〜３は本発明に係る電力量計収納ケースの一例を示し、図１は斜視図、図２は正面図、図３は壁面に取り付けた状態を示す説明図であり、図示するように電力量計収納ケース１は、電力量計Ｐを収納するケース本体２と、ケース本体２を保持して壁面に固定するための保持枠３とで構成されている。
【００１２】
ケース本体２は縦長の略円筒状に形成され、内部に電力量計Ｐを収容する空間を有し、図３に示すように上下端部には中心軸Ｍ上に保持枠３に連結する連結部としての円筒状突起２１（下側突起２１ａ、上側突起２１ｂ）が形成されている。
この円筒状突起２１は円筒状の縁部のみ有し、内部は開口形成されている。また、内部に収容された電力量計Ｐの正面が向く１側面は、中心軸Ｍに平行に切り欠かれて平坦な面で形成された正面Ｆが形成され、収納した電力量計Ｐを視認するための窓２３がこの正面Ｆの上部に形成されている。更に、ケース本体２は、前面側の略半分を形成する蓋部材２０ａと背面側の略半分を形成する本体部材２０ｂとから成り、中心軸Ｍを通る略円筒形状の直径部で前後に２分割可能に形成（図４に示す）されている。
【００１３】
保持枠３は、壁面Ｗに当接してケース本体２の背部に沿って配置される中央枠体３１と、ケース本体２の上下に配置されて上下からケース本体２を保持する一対のアーム片３２（下側アーム片３２ａ、上側アーム片３２ｂ）とを有し、保持枠３全体は略コ字状に形成されている。
一対のアーム片３２は、対向する面にケース本体２の円筒状突起２１に嵌合する連結部としての円形凹部２４（下側凹部２４ａ，上側凹部２４ｂ）を備え、ケース本体２を上下から保持した状態で、ケース本体２を図１の矢印Ａ１に示すように水平面内で回動可能とする回動軸を形成している。ここでは、図２に示す正面を向いた状態から、左右にそれぞれ９０度回動可能としている。
但し、下側凹部２４ａは貫通形成された円形の穴（支持穴）であり、嵌合した下側突起２１ａも開口形成されていることで、下側アーム片３２ａ内部から保持したケース本体２の内部まで貫通した状態が形成される。
【００１４】
また、下側アーム片３２ａは上側アーム片３２ｂに比べて広い内部空間を有するよう形成され、内部に電力量計に接続されるケーブルＫを配設するケーブル配設空間Ｅを備え、背部は開口形成されている。こうして、背面が開口されて下側アーム片３２ａ内部から保持したケース本体２の内部まで貫通していることで、図３（ｂ）に示すように、壁面Ｗ内から配設されたケーブルＫを、開口された背面から下側凹部２４ａへ下側アーム片３２ａ内に配設し、そして下側突起２１ａを介してケース本体２内に導入し、電力量計Ｐに接続することを可能としている。
【００１５】
図４は電力量計収納ケース１の分解図であり、保持枠３の更に詳細な構造、保持枠３の壁面への取り付け、更にケース本体２の保持枠３への取り付けを図４を参照して説明する。保持枠３は、背部に壁面に固定するためのベース板３５を有し、このベース板３５により、下側アーム片３２ａの一部を成す下カバー３４と上側アーム片３２ｂと中央枠体３１とが連結されている。
尚、中央枠体３１、上側アーム片３２ｂ、下カバー３４は合成樹脂製であり、ベース板３５は金属板を折り曲げて形成されている。
【００１６】
ベース板３５は、壁面Ｗに密着する中央板３５ｃの下部に下側アーム片３２ａの一部を構成する下側連結片３５ａが前方に折り曲げ形成され、上部に上側アーム片３２ｂを固定するために前方に折り曲げ形成された上側連結片３５ｂを有し、略コ字状に形成されている。
下側連結片３５ａは、下側アーム片３２ａに形成された下側凹部２４ａの周囲に至る広さを有し、下側凹部２４ａに合致する位置に同一径の円形の挿通穴３５ｄが穿設されている。更に、下側連結片３５ａの左右側部には補強片３５ｅが形成され、ケース本体２の重量をベース板３５が支えるよう構成されている。
【００１７】
また、図４に示すケース本体２は、蓋部材２０ａを上方に移動して本体部材２０ｂと分離した状態を示している。ケース本体２はこのように蓋部材２０ａを分離でき、分離することで電力量計Ｐを本体部材２０ｂに組み付け可能としている。
【００１８】
このように形成された保持枠３の壁面への取り付け、及びケース本体２の組み付けは以下の様に行われる。保持枠３の取り付けは、ベース板３５を壁面Ｗに取り付けることで実施され、図示しないネジを使用して中央板３５ｃの複数箇所が壁面Ｗにネジ止めされる。
その後、中央枠体３１がベース板３５に取り付けられ、下カバー３４が中央枠体３１に対して組み付けられる。但し、下カバー３４を取り付ける際は、壁面Ｗから引き出されたケーブルＫを、図３に示すように内部に配設してケーブルＫの先端を挿通穴３５ｄを介して上方に露出させておく。
【００１９】
そして、上側アーム片３２ｂを組み付ける前にケース本体２が装着される。ケース本体２の装着は、まず電力量計Ｐが組み付けられた本体部材２０ｂが下側アーム片３２ａに装着される。図４に示すように、下側突起２１ａは本体部材２０ｂに形成されており、下側突起２１ａが下側アーム片３２ａに嵌合することで、本体部材２０ｂは安定する。このとき、露出しているケーブルＫは、貫通している下側突起２１ａからケース本体２内に入り込み、本体部材２０ｂを下側アーム片３２ａに載置した状態でケーブルＫの電力量計Ｐへの接続が成される。
【００２０】
ケーブルＫの接続が完了したら、蓋部材２０ａにより本体部材２０ｂを前面を施蓋し、上側突起２１ｂを上側凹部２４ｂに収納しながら上側アーム体３２ｂをケース本体２上に配置する。その後、上側アーム体３２ｂをベース板３５の上部連結片３５ｂに組み付ける。
こうして、ケース本体２は水平面内で回動可能な状態で壁面Ｗに設置される。そして、この設置状態において、ケース本体２の上下の開口された円筒状突起２４はそれぞれアーム片３２により閉塞されるため、ケース本体２は密閉される。尚、窓２３は透明の樹脂板で覆われている。  
【００２１】
このように、保持枠３に保持された状態でケース本体２は回動できるため、保持枠３を壁面Ｗに固定してもケース本体２の窓２３を正面から横向きに変更することが可能であり、別途金具等を使用することなく内部の電力量計Ｐを窓２３を介して視認し易い方向に向けることができる。
また、連結部である円筒状突起２１を介してケーブルＫをケース本体２に導入することできるため、ケーブルＫをケース外部に露出すること無く配設して電力量計Ｐに接続することが可能となる。
更に、壁面Ｗ内から取り出されてケース本体２内の電力量計Ｐに接続されるケーブルＫは、保持枠３の内部に配設されるため、ケーブルＫが外部に全く露出しないよう配設することが可能であり、ケース本体２の向きに拘わらず美観を損ねることがない。
【００２２】
尚、上記実施形態はケース本体を全体で１８０度回動可能としているが、少なくとも全体で９０度回動可能とするだけでも良い。
また、ケーブルＫを下側アーム片３２ａを介してケース本体２に下側から導入する形態であるが、上側アーム片３２ｂにケーブル配設空間Ｅを設けて、ケーブルＫを上側からケース本体２に導入しても良い。
【符号の説明】
【００２３】
１・・電力量計収納ケース、２・・ケース本体、３・・保持枠、２０ａ・・蓋部材、２０ｂ・・本体部材、２１（２１ａ，２１ｂ）・・円筒状突起（連結部）、２３・・窓、２４（２４ａ，２４ｂ）・・円形凹部（連結部）、３１・・中央枠体、３２（３２ａ，３２ｂ）・・アーム片、３４・・下カバー、３５・・ベース板、３５ａ・・下側連結片、３５ｂ・・上側連結片、３５ｃ・・中央板、３５ｄ・・挿通穴、３５ｅ・・補強片、Ｅ・・ケーブル配設空間、Ｆ・・正面、Ｋ・・ケーブル、Ｍ・・中心軸、Ｐ・・電力量計、Ｗ・・壁面。
【図１】
2017211246.tif 000003
【図２】
2017211246.tif 000004
【図３】
2017211246.tif 000005
【図４】
2017211246.tif 000006